(57)【要約】【課題】電子ブロックが「落下」や「異常振動（地震、運送）」を受けた際発生する諸問題を未然に防ぐことができ、想定以上の物理的ダメージを受けた際には、当該電子ブロックを安全かつ合理的に寿命とすることができる照明点灯装置を提供する。【解決手段】電子安定器に物理的ダメージを受けた際、Ｄ＿ＰｏｉｎｔやＥ＿Ｐｏｉｎｔに相当する部分が、他の部位と比べて、断線し易い構造とした。Ｄ＿ＰｏｉｎｔやＥ＿Ｐｏｉｎｔは、コントロールＩＣ１，２の制御電源（５〜１２Ｖ程度）ラインになり、その部分（プリント基板のパターン上）に「はがれ」やパターン切れが発生した場合でも、回路上でアーク電流が発生しにくくなる。このように、プリント基板に能動的に弱点を設け、想定異常の物理ダメージ（落下や異常振動）を受けた際は能動的にプリント基板上の特定部位を断線させ、電子ブロック内部回路を遮断させる。【選択図】図１
2010003631.tif 000002
【特許請求の範囲】
【請求項１】
直流電圧を昇圧するチョッパ昇圧回路と、前記チョッパ昇圧回路の出力を高周波の正弦波電圧に変換して照明用ランプに供給するインバータ回路とを備える照明点灯装置であって、
制御電源ラインに接続され、前記チョッパ昇圧回路を制御するチョッパ制御回路と、
前記制御電源ラインに接続され、前記インバータ回路を制御するインバータ制御回路とを具備し、
前記制御電源ラインは、物理的衝撃を受けた際に、前記チョッパ制御回路または前記インバータ制御回路を停止させることを特徴とする照明点灯装置。
【請求項２】
請求項１記載の照明点灯装置であって、
前記チョッパ制御回路または前記インバータ制御回路が停止する場合に、その旨を告知する寿命告知手段を具備することを特徴とする照明点灯装置。
【請求項３】
請求項１記載の照明点灯装置であって、
前記制御電源ラインは、物理的衝撃を受けた際に、前記チョッパ制御回路または前記インバータ制御回路への電源供給を停止することを特徴とする照明点灯装置。
【請求項４】
請求項１記載の照明点灯装置であって、
前記制御電源ラインは、プリント回路基板の一部に形成され、物理的衝撃を受けた際に断線し易い構造を有することを特徴とする照明点灯装置。
【請求項５】
請求項４記載の照明点灯装置であって、
前記制御電源ラインは、パターンの一部が細くなっており、物理的衝撃を受けた際に、前記パターンの一部が断線することを特徴とする照明点灯装置。
【請求項６】
請求項４記載の照明点灯装置であって、
前記制御電源ラインは、パターンの一部が薄くなっており、物理的衝撃を受けた際に、前記パターンの一部が断線することを特徴とする照明点灯装置。
【請求項７】
請求項４記載の照明点灯装置であって、
前記制御電源ラインは、パターンの一部にＶカットを含む補助的加工がなされており、物理的衝撃を受けた際に、前記パターンの一部が断線することを特徴とする照明点灯装置。
【請求項８】
請求項４記載の照明点灯装置であって、
前記制御電源ラインの断線し易い構造の周辺に、所定の重量を有する部品が配置され、物理的衝撃を受けた際に、前記重量を有する部品が前記制御電源ラインの断線を促進することを特徴とする照明点灯装置。
【請求項９】
請求項４記載の照明点灯装置であって、
前記制御電源ラインの断線し易い構造は、低周波および低電圧部分に設定されていることを特徴とする照明点灯装置。
【請求項１０】
商用電源に接続されるフィルター回路と、前記フィルター回路の出力を直流電圧に変換する整流回路と、前記整流回路の出力を昇圧するチョッパ昇圧回路と、前記チョッパ昇圧回路の出力を高周波の正弦波電圧に変換して照明用ランプに供給するインバータ回路とを備える照明点灯装置であって、
前記フィルター回路、前記チョッパ昇圧回路または前記インバータ回路は、物理的衝撃を受けた際に機能を停止する巻線部品を有することを特徴とする照明点灯装置。
【請求項１１】
請求項１０記載の照明点灯装置であって、
前記巻線部品は、物理的衝撃を受けた際に外れるコアを有することを特徴とする照明点灯装置。
【請求項１２】
請求項１０記載の照明点灯装置であって、
前記巻線部品は、物理的衝撃を受けた際に、巻線の一部が切れることを特徴とする照明点灯装置。
【請求項１３】
請求項１１記載の照明点灯装置であって、
前記フィルター回路は、前記巻線部品のコアが外れた場合に溶断するヒューズを有することを特徴とする照明点灯装置。
【請求項１４】
請求項２記載の照明点灯装置であって、
前記寿命告知手段は、発光体であることを特徴とする照明点灯装置。
【請求項１５】
請求項２記載の照明点灯装置であって、
前記寿命告知手段は、音声発生装置であることを特徴とする照明点灯装置。
【請求項１６】
請求項２記載の照明点灯装置であって、
前記寿命告知手段は、物理的衝撃を受けた際に、前記照明用ランプを点滅させ、または前記照明用ランプの出力を低下させることを特徴とする照明点灯装置。
【請求項１７】
請求項１記載の照明点灯装置であって、
前記物理的衝撃は、所定の高さから落下させた場合と同等の衝撃であることを特徴とする照明点灯装置。
【請求項１８】
請求項１記載の照明点灯装置であって、
前記物理的衝撃は、所定の振動が加えられた場合と同等の衝撃であることを特徴とする照明点灯装置。
【発明の詳細な説明】
【技術分野】
【０００１】
本発明は、照明点灯装置に関し、特に、照明用点灯装置（電子ブロック）が、「落下」や「異常振動（地震、運送）」を受けた際に発生する諸問題を防止する技術に関するものである。
【背景技術】
【０００２】
放電灯点灯装置に使用される電子部品には半永久的に使用できる部品と、仕様に定義された寿命を持つ部品とが存在する。したがって、放電灯点灯装置を数年間使用した後では、寿命を持つ部品は時間の経過に伴い劣化していき、最適な照度設計から外れてしまい、目が疲れたりグレアなどが発生したりする場合がある。そこで、これらの寿命による諸問題を防止可能な放電灯点灯装置が知られている（例えば、特許文献１参照）。
【特許文献１】特開２０００−３４０３７８号公報
【発明の開示】
【発明が解決しようとする課題】
【０００３】
昨今の照明市場は、ランプの点灯に電子回路を用いることが当たり前のようになっている。放電灯点灯装置（以後電子ブロックと呼ぶ）などは、「省エネルギー」や「確実にランプを点灯させるための技術」の観点からも電子化が著しい。電子化された放電灯点灯装置は、低周波の商用１００Ｖや２００Ｖ電圧を高周波に変換したり、ランプに与える電圧を昇降圧処理し、最適ランプ始動をさせたり点灯維持をさせている。
【０００４】
一般的に電子ブロックはコンデンサ（フィルム／電解／セラミック／タンタルなど）部品、巻線部品（チョーク／トランス）、半導体部品、抵抗部品、プリント回路基板（紙フェノール／ガラエポ／ガラスや紙のコンポジットなど）から構成されている。
【０００５】
上記の高周波変換は半導体部品のスイッチングから得、ランプに与える電圧変換はコンデンサと巻腺部品の共振から得ている。通常十分な絶縁設計や耐圧設計された電子ブロックが照明器具等に納められ、照明市場に納入している。
【０００６】
ところが、これら電子ブロックがブロック製造工場から出荷後、例えば照明器具工場に輸送される際の荷扱い不手際や、器具製造作業者の過失による落下などで電子部品に物理的ダメージを与えてしまうことがある。その物理的ダメージを持ったままの不安全な状態で市場に納入されてしまう課題がある。
【０００７】
前述の電子ブロック内部で、高調波の高電圧を発生させる部位に損傷があると、その間でアーク放電が発生し、プリント回路基板上でトラッキングを誘引し、場合によっては発煙発火の危険性が発生する。
【０００８】
関連する技術の発明として、特許文献１には電子安定器の寿命による諸問題を防止する手段として、電子安定器の使用時間を積算し想定する使用時間を過ぎた場合、当該安定器を能動的に寿命とすることを述べている。しかしながら、外力の物理的ダメージを受けた場合能動的に寿命とすることに関する記載はない。
【０００９】
また、その他の従来例として、インバータの寿命を積算し寿命判別する方法や寿命告知の方法が述べられた特許文献が存在するが、外力の物理的ダメージを受けた場合能動的に寿命とすることについて述べられた発明は無い。
【００１０】
本発明は、上記従来の事情に鑑みてなされたものであって、電子ブロックが「落下」や「異常振動（地震、運送）」を受けた際発生する諸問題を未然に防ぐことができ、想定以上の物理的ダメージを受けた際には、当該電子ブロックを安全かつ合理的に寿命とすることができる照明点灯装置を提供することを目的としている。
【課題を解決するための手段】
【００１１】
本発明の照明点灯装置は、直流電圧を昇圧するチョッパ昇圧回路と、前記チョッパ昇圧回路の出力を高周波の正弦波電圧に変換して照明用ランプに供給するインバータ回路とを備える照明点灯装置であって、制御電源ラインに接続され、前記チョッパ昇圧回路を制御するチョッパ制御回路と、前記制御電源ラインに接続され、前記インバータ回路を制御するインバータ制御回路とを具備し、前記制御電源ラインは、物理的衝撃を受けた際に、前記チョッパ制御回路または前記インバータ制御回路を停止させることを特徴とする。
【００１２】
上記構成によれば、制御電源ラインは、物理的衝撃を受けた際にチョッパ制御回路またはインバータ制御回路を停止させるので、電子ブロックが「落下」や「異常振動（地震、運送）」を受けた際発生する諸問題を未然に防ぐことができる。
【００１３】
また、本発明の照明点灯装置は、前記チョッパ制御回路または前記インバータ制御回路が停止する場合に、その旨を告知する寿命告知手段を具備することを特徴とする。
【００１４】
上記構成によれば、チョッパ制御回路またはインバータ制御回路が停止する場合にその旨を告知するので、電子ブロックが物理的ダメージを受けたことを関係者に認知させ、当該電子ブロックの交換作業をサポートしやすくすることができる。
【００１５】
また、本発明の照明点灯装置において、前記制御電源ラインは、物理的衝撃を受けた際に、前記チョッパ制御回路または前記インバータ制御回路への電源供給を停止することを特徴とする。
【００１６】
上記構成によれば、制御電源ラインは、物理的衝撃を受けた際にチョッパ制御回路またはインバータ制御回路への電源供給を停止するので、安全に照明点灯装置を停止することができる。
【００１７】
また、本発明の照明点灯装置において、前記制御電源ラインは、プリント回路基板の一部に形成され、物理的衝撃を受けた際に断線し易い構造を有することを特徴とする。
【００１８】
上記構成によれば、制御電源ラインは、物理的衝撃を受けた際に断線し易い構造を有するので、電子ブロックが「落下」や「異常振動（地震、運送）」を受けた際発生する諸問題を未然に防ぐことができる。
【００１９】
また、本発明の照明点灯装置において、前記制御電源ラインは、パターンの一部が細くなっており、物理的衝撃を受けた際に、前記パターンの一部が断線することを特徴とする。
【００２０】
上記構成によれば、制御電源ラインのパターンの一部が断線した場合に、チョッパ制御回路またはインバータ制御回路の電源がなくなるため、インバータ回路またはチョッパ昇圧回路へのゲート信号が停止し、安全に照明点灯装置を停止することができる。
【００２１】
また、本発明の照明点灯装置において、前記制御電源ラインは、パターンの一部が薄くなっており、物理的衝撃を受けた際に、前記パターンの一部が断線することを特徴とする。
【００２２】
上記構成によれば、制御電源ラインのパターンの一部が薄く、落下させてしまった場合にその部分が先行的に割れる構造となっているので、安全に回路を遮断することができる。
【００２３】
また、本発明の照明点灯装置において、前記制御電源ラインは、パターンの一部にＶカットを含む補助的加工がなされており、物理的衝撃を受けた際に、前記パターンの一部が断線することを特徴とする。
【００２４】
上記構成によれば、例えば、Ｖカット加工をプリント基板上の電流が流れる方向に対して垂直にすれば、落下させてしまった場合にその部分が先行的に割れる構造となり、安全に回路を遮断することができる。
【００２５】
また、本発明の照明点灯装置は、前記制御電源ラインの断線し易い構造の周辺に、所定の重量を有する部品が配置され、物理的衝撃を受けた際に、前記重量を有する部品が前記制御電源ラインの断線を促進することを特徴とする。
【００２６】
上記構成によれば、重量部品を支える足部と断線し易い構造を近接させることで、電子ブロックが物理的ダメージを受けた際、重量部品の慣性モーメントにより関係部位を断線し易い状況にすることができる。
【００２７】
また、本発明の照明点灯装置において、前記制御電源ラインの断線し易い構造は、低周波および低電圧部分に設定されていることを特徴とする。
【００２８】
上記構成によれば、制御電源ラインは５〜１２Ｖ程度のため、その部分に「はがれ」やパターン切れが発生した場合でも、回路上でアーク電流が発生しにくく、安全に回路を遮断することができる。
【００２９】
また、本発明の照明点灯装置は、商用電源に接続されるフィルター回路と、前記フィルター回路の出力を直流電圧に変換する整流回路と、前記整流回路の出力を昇圧するチョッパ昇圧回路と、前記チョッパ昇圧回路の出力を高周波の正弦波電圧に変換して照明用ランプに供給するインバータ回路とを備える照明点灯装置であって、前記フィルター回路、前記チョッパ昇圧回路または前記インバータ回路は、物理的衝撃を受けた際に機能を停止する巻線部品を有することを特徴とする。
【００３０】
上記構成によれば、電子ブロックは、物理的衝撃を受けた際に機能を停止する巻線部品を有するので、電子ブロックが「落下」や「異常振動（地震、運送）」を受けた際発生する諸問題を未然に防ぐことができる。
【００３１】
また、本発明の照明点灯装置において、前記巻線部品は、物理的衝撃を受けた際に外れるコアを有することを特徴とする。
【００３２】
上記構成によれば、コア自体を比較的弱めの接着剤により保持することにより、電子ブロックが落下等の物理的ダメージを受けた際、巻線部品のコアの一部が外れ、巻線部品としての機能をなくすことができる。
【００３３】
また、本発明の照明点灯装置において、前記巻線部品は、物理的衝撃を受けた際に、巻線の一部が切れることを特徴とする。
【００３４】
上記構成によれば、巻線部品の巻線テンションを強めに設定し、巻線部品を含む電子ブロックに物理的ダメージを受けた場合、巻線の一部が切れるようにすることにより、安全に回路を遮断することができる。
【００３５】
また、本発明の照明点灯装置において、前記フィルター回路は、前記巻線部品のコアが外れた場合に溶断するヒューズを有することを特徴とする。
【００３６】
上記構成によれば、電子ブロックが落下等の物理的ダメージを受けた際、巻線部品のコアの一部が外れ、その結果、減流素子として動作しなくなって入力電流が増え、電流ヒューズが遮断されるので、安全に電子ブロックの回路を遮断することができる。
【００３７】
また、本発明の照明点灯装置において、前記寿命告知手段は、発光体であることを特徴とする。
【００３８】
上記構成によれば、この発光体が点灯することで、電子ブロックが物理的ダメージを受けたことを関係者に認知させ、当該電子ブロックの交換作業をサポートしやすくすることができる。
【００３９】
また、本発明の照明点灯装置において、前記寿命告知手段は、音声発生装置であることを特徴とする。
【００４０】
上記構成によれば、音声発生装置からアナウンスすることにより、電子ブロックが物理的ダメージを受けたことを関係者に認知させ、当該電子ブロックの交換作業をサポートしやすくすることができる。
【００４１】
また、本発明の照明点灯装置において、前記寿命告知手段は、物理的衝撃を受けた際に、前記照明用ランプを点滅させ、または前記照明用ランプの出力を低下させることを特徴とする。
【００４２】
上記構成によれば、照明用ランプを点滅させ、またはその出力を低下させることにより、当該電子ブロックに物理的ダメージを受けたことを認知させることができる。
【００４３】
また、本発明の照明点灯装置において、前記物理的衝撃は、所定の高さから落下させた場合と同等の衝撃であることを特徴とする。
【００４４】
上記構成によれば、一般に器具工場の作業台の高さは７５ｃｍ程度であり、作業台の高さから落下した電子ブロックは何らかのダメージを持つものも多いので、この物理的衝撃を基準とすることにより、物理的衝撃を受けた際に発生する諸問題を未然に防ぐことができる。
【００４５】
また、本発明の照明点灯装置において、前記物理的衝撃は、所定の振動が加えられた場合と同等の衝撃であることを特徴とする。
【００４６】
上記構成によれば、トラック等の輸送振動の場合、経験的に振動加速度が１．２５Ｇ以上であると電子ブロックの一部が破損する場合があるので、この物理的衝撃を基準とすることにより、物理的衝撃を受けた際に発生する諸問題を未然に防ぐことができる。
【発明の効果】
【００４７】
以上説明したように、本発明にかかる照明点灯装置によれば、電子ブロックが「落下」や「異常振動（地震、運送）」を受けた際発生する諸問題を未然に防ぐことができ、想定以上の物理的ダメージを受けた際には、当該電子ブロックを安全かつ合理的に寿命とすることができる。
【発明を実施するための最良の形態】
【００４８】
本発明では、電子ブロックが「落下」や「異常振動（地震、運送）」を受けた際発生する諸問題を未然に防ぐ為、想定以上の物理的ダメージを受けた際には、電子ブロック内部の検出機能を受け、または検出機能を兼用する寿命制御装置を動作させ、当該ブロックを安全かつ合理的に寿命とする。
【００４９】
具体的には実施例で述べるが、プリント基板に能動的に弱点を設け、想定異常の物理ダメージ（落下や異常振動）を受けた際は能動的にプリント基板上の特定部位を断線させ、電子ブロック内部回路を遮断させる。
【００５０】
当該電子ブロックを使用する側からすれば、電子ブロックが不点になるため何らかの問題点を認識できる為、発煙発火のような不安全な危険性からは回避することが可能となる。昨今では商品の安全責任については企業最大の義務であり、本発明は上記のような不安全を未然に回避することができるものである。
【００５１】
（実施例１）
図１は蛍光灯ランプを点灯するハーフブリッジ型電子安定器の回路図の具体的実施例である。本電子安定器は、フィルター回路１１（電流ヒューズＦ、フィルターチョークＦＬ、フィルターコンデンサＣ０）と、整流回路１２（ダイオードブリッジＤＢ）と、チョッパ昇圧回路１３（チョッパチョークＬ１、ダイオードＤ１、電解コンデンサＣ１、スイッチ用半導体Ｑ１）と、Ｑ１制御回路１４（コントロールＩＣ１、ＩＣ１用電源Ｂｔ１）と、インバータ回路１５（スイッチ用半導体Ｑ２、Ｑ３、インバータチョークＬ２、カップリングコンデンサＣ２、共振コンデンサＣ３）と、Ｑ２／Ｑ３制御回路１６（コントロールＩＣ２、ＩＣ２用電源Ｂｔ２）と、蛍光灯負荷１７（Ｌａｍｐ）より構成されている。
【００５２】
商用電源ＡＣからの商用周波数／商用電圧は、フィルター回路１１を経て、整流回路１２により直流電圧に変換される。この直流電圧はインバータ回路１５のＱ２とＱ３のスイッチングとＬ２とＣ２で構成される共振回路で高周波（照明用は一般的に４０ｋＨｚ〜１００ｋＨｚ）の正弦波電圧に変換される。
【００５３】
この高周波正弦波電圧が、負荷である蛍光灯負荷１７に印加されランプを点灯させる。またランプ始動時にはＬ２とＣ２の無負荷共振カーブに対し、スイッチング周波数をずらし、更に高い始動電圧を印加させる。インバータ回路１５の動作の詳細については、本発明の内容と別であるので省略する。
【００５４】
図１中Ａ＿Ｐｏｉｎｔには高周波の正弦波電流が流れている。仮に落下した電子安定器のＡ＿Ｐｏｉｎｔ（プリント基板のパターン上）に「はがれ」やパターン切れが発生すると、その間がルーズコンタクトの状態になりアーク電流が流れ、発煙発火の危険性が発生する。
【００５５】
Ｂ＿Ｐｏｉｎｔがダメージをうける場合も同様で、Ｑ１のスイッチング電流が流れる為、発煙発火の危険性が発生する。Ｃ＿Ｐｏｉｎｔの場合高周波ではないが、ＡＣ電圧同等の電位差を生じ、ダメージ如何によっては発煙発火の危険性が発生する。
【００５６】
それに比べＤ＿ＰｏｉｎｔやＥ＿Ｐｏｉｎｔでは、コントロールＩＣ１，２の制御電源（５〜１２Ｖ程度）ラインになり、その部分（プリント基板のパターン上）に「はがれ」やパターン切れが発生した場合でも、回路上でアーク電流が発生しにくくなる。
【００５７】
また、ＩＣの電源がなくなる為、それぞれＱ１／Ｑ２／Ｑ３のゲート信号を遮断するので安全に電子安定器の動作を止めることができるようになる。
【００５８】
本実施例では電子安定器に物理的ダメージを受けた際、Ｄ＿ＰｏｉｎｔやＥ＿Ｐｏｉｎｔに相当する部分が、他の部位と比べて、断線し易い構造にしたことを特徴としている。図２では、その一例として、Ｅ＿Ｐｏｉｎｔに相当するプリント基板上のパターン２１を細くし、スリットを入れたことを示した図である。
【００５９】
（実施例２）
図３は、プリント基板の断面図であり、第２の具体的実施例を示している。図３（ａ）は従来の構造であり、図３（ｂ）は本発明の構造である。実施例１との違いは、図３（ｂ）に示すように、当該関係部位のプリント基板３１の厚みを一部薄くしたことを示した図である。通常照明用で使われる紙フェノールのプリント基板は１．６ｍｍが標準である。
【００６０】
本発明では、図１に示した実施例１のＤ＿ＰｏｉｎｔおよびＥ＿Ｐｏｉｎｔに相当する部分の一部を０．６ｍｍにしている。安定器を落下させてしまった場合、その部分が先行的に割れる構造となっており、能動的に回路遮断をすることを特徴としている。
【００６１】
（実施例３）
図４は、プリント基板の断面図であり、第３の具体的実施例を示している。実施例１および実施例２との違いは当該関係部位のプリント基板４１が物理的ダメージを受けた際、断線し易いようにＶカット加工をしている点にある。
【００６２】
Ｖカットの加工はプリント基板４１上の電流が流れる方向に対して垂直にしている。これにより、安定器を落下させてしまった場合、その部分が先行的に割れる構造となっており、能動的に回路遮断をすることを特徴としている。
【００６３】
（実施例４）
図５は、プリント基板の断面図であり、第４の具体的実施例を示している。プリント基板５１の当該関係部位（図１のＤ＿ＰｏｉｎｔおよびＥ＿Ｐｏｉｎｔに相当する部分）近辺に、重量部品（トランス）５２を配置したことを特徴としている。
【００６４】
具体的には、重量部品（トランス）５２を支える足部と関係部位を近接させることで、電子ブロックが物理的ダメージを受けた際、重量部品５２の慣性モーメントにより関係部位を断線し易い状況にしたことを特徴としている。実施例１〜４は複合的に利用することで、より効果を得られ易いようにすることも可能である。
【００６５】
（実施例５）
図６は第５の実施例を示している。電子ブロックの電流制限要素として働く巻線部品（トランス）６１を、物理的ダメージを受けた際の寿命部品に設定した（図６（ａ））。巻線部品６１はＣコア６２，６３の組合せであり、コア６２，６３自体の接着は比較的弱めの接着剤により保持されている。
【００６６】
具体的には電子ブロックが落下等の物理的ダメージを受けた際、巻線部品６１のコア６２，６３の一部が外れるようにしている（図６（ｂ））。その結果、減流素子として動作しなくなり入力電流が増え、電流ヒューズＦ（図１参照）が遮断され、能動的に電子ブロックの回路遮断を可能とした。
【００６７】
また、図６は巻線部品（トランス）６１の巻線テンションを強めに設定している。当該巻線部品６１を含む電子ブロックに物理的ダメージを受けた場合、巻線の一部が切れるように設定している。この巻線部品６１は回路中にダミーとして配置することも可能で、特に主回路部でなく制御部に配置することで、断線する巻線の一部に高電圧が発生しないようにする配慮が望ましい。
【００６８】
（実施例６）
図７および図８は第６の実施例を示している。実施例１のように、物理的ダメージを受けた電子ブロックは能動的に自身を寿命へと導いてゆくが、物理的ダメージを受けた次工程以降では、何故当該ブロックが寿命になっているかを理解できない可能性がある。
【００６９】
そこで本実施例では、対象となる部位に断線が生じた際、当該ブロックに付随する別回路にて発光体（ＬＥＤや豆球）を点灯させることを特徴とした。この発光体が点灯することで、当該ブロックは物理的ダメージを受けたことを関係者に認知させ、当該電子ブロックの交換作業をサポートしやすくさせる。
【００７０】
図７は、図１の回路にＬＥＤ７１の報知機能を追加したものである。正常状態では、定電源Ｂｔ３からの電流は抵抗Ｒ１、スイッチＱ４、抵抗Ｒ２を介し流れている。
【００７１】
電子ブロックに物理的ダメージを受け、Ｄ＿Ｐｏｉｎｔが断線することにより、Ｑ４をＯＮさせていた定電源Ｂｔ１からの電源供給が無くなるため、Ｑ４はＯｆｆする。Ｑ４がＯｆｆしたことによりＢｔ３からの電流はＲ１、抵抗Ｒ３を介しＬＥＤ７１を点灯させる構成である。
【００７２】
図８は上記発光体の代わりに、ブザー８１等の音声発生装置にしたものである。また、照明点灯装置の負荷を点滅させたり、著しく出力を下げるなどにより、当該ブロックに物理的ダメージを受けたことを認知させる手段も本実施例に含まれる。
【００７３】
（実施例７）
本実施例では、物理的ダメージの要因として考えられる耐落下高さについて限定要素を加える。一般に器具工場の作業台の高さは７５ｃｍ程度である。つまり作業台の高さから落下した電子ブロックは何らかのダメージを持つものも多いので実施例１〜６に示されるような衝撃検出機能や電子ブロックに寿命を与える落下については、７５ｃｍ以上の高さから落下した場合動作するようにした。
【００７４】
また、物理的ダメージの要因として考えられる振動について限定要素を加える。振動についてはトラック等の輸送振動等に関係するが、経験的に振動加速度が１．２５Ｇ以上であると電子ブロックの一部が破損する場合があることがわかっている。
【００７５】
従って、実施例１〜６に示されるような衝撃検出機能や電子ブロックに寿命を与える振動については、１．２５Ｇ以上の振動加速度の場合動作するようにした。
【００７６】
以上説明したように、本実施形態にかかる照明点灯装置によれば、制御電源ラインは、物理的衝撃を受けた際にＱ１制御回路１４またはＱ２／Ｑ３制御回路１６への電源供給を停止するので、安全に照明点灯装置を停止することができる。
【産業上の利用可能性】
【００７７】
本発明は、電子ブロックが「落下」や「異常振動（地震、運送）」を受けた際発生する諸問題を未然に防ぐことができ、想定以上の物理的ダメージを受けた際には、当該電子ブロックを安全かつ合理的に寿命とすることができる照明点灯装置として利用可能である。
【図面の簡単な説明】
【００７８】
【図１】本発明の実施例１にかかる照明点灯装置の概略構成を説明するための図
【図２】本発明の実施例１においてプリント基板上のパターンを細くし、スリットを入れたことを示す図
【図３】本発明の実施例２にかかる照明点灯装置の概略構成を説明するためのプリント基板の断面図
【図４】本発明の実施例３にかかる照明点灯装置の概略構成を説明するためのプリント基板の断面図
【図５】本発明の実施例４にかかる照明点灯装置の概略構成を説明するためのプリント基板の断面図
【図６】本発明の実施例５における巻線部品（トランス）の概略構成を説明するための図
【図７】本発明の実施例６にかかる照明点灯装置の概略構成の一例を説明するための図
【図８】本発明の実施例６にかかる照明点灯装置の概略構成の他の例を説明するための図
【符号の説明】
【００７９】
１１  フィルター回路
１２  整流回路
１３  チョッパ昇圧回路
１４  Ｑ１制御回路
１５  インバータ回路
１６  Ｑ２／Ｑ３制御回路
１７  蛍光灯負荷
２１  パターン
３１，４１，５１  プリント基板
５２  重量部品（トランス）
６１  巻線部品（トランス）
６２，６３  コア
７１  ＬＥＤ
８１  ブザー
【図１】
2010003631.tif 000003
【図６】
2010003631.tif 000004
【図７】
2010003631.tif 000005
【図８】
2010003631.tif 000006
【図２】
2010003631.tif 000007
【図３】
2010003631.tif 000008
【図４】
2010003631.tif 000009
【図５】
2010003631.tif 000010